(57)【要約】【課題】  給紙台の傾斜を給紙開始前は大きく、給紙の進行に応じて傾斜を少なくして行き、給紙完了時には傾斜がなくなるようにすることを従来より簡単な構成で実現する。【解決手段】  傾斜可変給紙台１の作用点に定荷重ばね２で上向きの力を加えるとともに引っ張りばね３で下向きの力を加え用紙束17を載置したときの作用点の位置Ａ点より、必要な傾斜を得るための低い位置Ｃ点に傾斜回動軸10が来るように、上下駆動機構４の動作を制御器５で設定し、用紙束17がないときの作用点の位置Ｂ点と同じ高さ位置に傾斜回動軸10が来るように上下駆動機構４の動作を制御器５で設定し、給紙動作開始後は給紙の進行に応じて基台11を上昇させて行くように上下駆動機構を制御させる。【選択図】        図１
2006335550.tif 000002
【特許請求の範囲】
【請求項１】
下記の各手段を具備することを特徴とする給紙装置。
（イ）  傾斜を変えることができるよう下流側辺縁が回動可能に軸支された傾斜可変給紙台
（ロ）  傾斜可変給紙台の軸支辺に対し対向辺側を上げる方向に一定の引き上げ力を加える定荷重ばね
（ハ）  傾斜可変給紙台の軸支辺に対し対向辺側を下げる方向に引っ張り力を加え、伸びると引っ張り力が強くなる引っ張りばね
（ニ）  傾斜可変給紙台の軸支箇所を上下させる上下駆動機構
（ホ）  傾斜可変給紙台上に載置された用紙の給紙による減少に応じて傾斜可変給紙台の軸支箇所を上方へ駆動するよう上下駆動機構を制御する制御器
【請求項２】
請求項１の構成に加えて、傾斜可変給紙台の下流側に、傾斜していない非傾斜給紙台が続いており、上下駆動機構によって、傾斜可変給紙台の軸支箇所とともに上下駆動されることを特徴とする給紙装置。
【請求項３】
引っ張り力の調整をするために、引っ張りばねの位置を調整する位置調整手段を有することを特徴とする請求項１又は請求項２記載の給紙装置。
【請求項４】
傾斜可変給紙台が、定荷重ばねや引っ張りばねによる付勢にかかわらず傾斜回動しないようにロックするロック機構を有することを特徴とする請求項１ないし請求項３のいずれか１項に記載の給紙装置。
【発明の詳細な説明】
【技術分野】
【０００１】
本発明は、一辺側に折り部や綴じ部があるために、給紙装置の給紙台上に多数重ねて載置したときに用紙束の一辺側と他辺側とで積み上がり高さが異なる場合に、用紙束上面が即ち給紙面が平らになるようにするために、給紙台の全体或いはその一部を傾斜させる機構を備える給紙装置の技術分野に属する。
【背景技術】
【０００２】
用紙束を給紙台上に積載し、この用紙束の最上位の１枚を取り出す給紙装置では、多くの場合、安定した給紙のために、用紙束の上面を一定の高さに保っていなければならない。
そこで、給紙台を水平に構成し、用紙残量が少なくなるにつれて、給紙台を上昇させ、用紙束上面を一定の高さに保つようになっている。
しかし、給紙台に積載される用紙は必ずしも平らではない。例えば折り目を有する用紙などは、折り目が重なっている側がどうしても高くなってしまうので、用紙束上面が傾斜してしまう。このような用紙では、用紙束上面の形状によっては給紙に不具合を起こすことがある。
【０００３】
そこで、用紙束の上面が平らになるように給紙台自体を傾斜させ、給紙が進み用紙が少なくなって用紙束の高さの差が小さくなるにつれて給紙台の傾斜を少なくして行く構成が考えられて来た。
【０００４】
一般に、給紙台は前述のように、給紙が進んで用紙束の高さが減少するのに応じて上方へせり上がるように構成されている。
従って、給紙台は給紙開始前は、下方にあって傾斜が大きく、給紙が進んで給紙台が上方へせり上がるにつれて傾斜が緩やかになるように工夫される。
【０００５】
従来のものは、給紙台が給紙前には下方にあり、給紙完了時には上方にあり、次の給紙のために再び下方へ下げるという上下駆動される載紙台本体があり、その本体に給紙下流側で回動可能に軸支された補助載紙台を設け、載紙台本体が下方にあるときは補助載紙台の傾斜が大きく、上方へ移動するにつれて傾斜が小さくなるようにするリンク機構を用いている。
【０００６】
リンク機構のピンによって回動可能に連結された一方のリンクの他端は回動可能に補助載紙台を軸支し、他のリンクは載紙台本体に回動可能に軸支するとともに、このリンクを回動させる駆動アームを連結し、この駆動アームの他端にコロを設け、このコロを傾斜したコロガイドレールに係合させ、載紙台本体が下方にあるときは、回動アームがリンク機構を伸びる方向にして補助載紙台を傾斜させ、上方へ行くにつれて、コロガイドレールが傾斜しているため、回動アームがリンク機構を縮む方向に回動させ傾斜が小さくなるというものである（特許文献１参照）。
【特許文献１】公開実用  昭和５３−１０５８０８（９頁〜１０頁、第１図、第３図、第４図）
【発明の開示】
【発明が解決しようとする課題】
【０００７】
しかしながら、上記従来の給紙装置では、補助載紙台の傾斜を変えるためにリンク機構を備え、このリンク機構を伸縮させる駆動アームを連結し、この駆動アームの他端にコロを設け、この駆動アームを載紙台本体の上下移動によって変化させるためのコロガイドレールを設けて、駆動アームのコロをこれに係合させるというものであるため、構造が複雑で大型のものになってしまうという問題がある。
【０００８】
本発明の課題は、簡単な構造、特に給紙台の傾斜は傾斜させるための駆動アームやコロガイドレールのような別個の機械構造を用いることなく、傾斜を変化させることのできる給紙装置を実現することを課題とするものである。
【課題を解決するための手段】
【０００９】
上記課題を解決するために、本発明は下記の各構成を有する。
本発明の第１の構成（基本構成）は、下記の各手段を具備することを特徴とする給紙装置である。
（イ）傾斜を変えることができるよう下流側辺縁が回動可能に軸支された傾斜可変給紙台
（ロ）傾斜可変給紙台の軸支辺に対し対向辺側を上げる方向に一定の引き上げ力を加える定荷重ばね
（ハ）傾斜可変給紙台の軸支辺に対し対向辺側を下げる方向に引っ張り力を加え、伸びると引っ張り力が強くなる引っ張りばね
（ニ）傾斜可変給紙台の軸支箇所を上下させる上下駆動機構
（ホ）傾斜可変給紙台上に載置された用紙の給紙による減少に応じて傾斜可変給紙台の軸支箇所を上方へ駆動するよう上下駆動機構を制御する制御器
【００１０】
本発明の第２の構成は前記第１の構成に加えて、傾斜可変給紙台の下流側に、傾斜していない非傾斜給紙台が続いており、上下駆動機構によって、傾斜可変給紙台の軸支箇所とともに上下駆動されることを特徴とする給紙装置である。
【００１１】
本発明の第３の構成は前記第１の構成又は第２の構成において、引っ張り力の調整をするために、引っ張りばねの位置を調整する位置調整手段を有することを特徴とする給紙装置である。
【００１２】
本発明の第４の構成は、前記第１ないし第３の構成のいずれかの構成において、傾斜可変給紙台が、定荷重ばねや引っ張りばねによる付勢にかかわらず傾斜回動しないようにロックするロック機構を有することを特徴とする給紙装置である。
【発明の効果】
【００１３】
本発明の基本構成（第１の構成）の傾斜可変給紙台は、給紙下流側辺縁が傾斜回動可能に軸支されており、その軸支辺と対向辺との間の作用点に対向辺を上げる方向に定荷重ばねの付勢がかかっており、逆に下げる方向に引っ張りばねの付勢がかかっている。そして用紙束を載置した場合には、その重量が下げる方向の付勢に加わることになる。
そうすると、用紙束を載置した場合には、傾斜可変給紙台の作用点にかかる定荷重ばねの付勢力と、引っ張りばね、給紙台重量および用紙束重量による付勢力とが釣り合ったところで作用点は静止することになる。用紙束がすべて給紙されてなくなった場合には、定荷重ばねの付勢力と、引っ張りばねおよび給紙台重量による付勢力が釣り合ったところで静止することになる。
【００１４】
この場合、用紙束の重量がなくなった分だけ下方への引っ張り力が弱くなるから、定荷重ばねの付勢力に引かれて作用点は上昇する。
上昇すると引っ張りばねは、引っ張られて伸びることになるが引っ張りばねは伸びると引っ張り力が強くなるので、この強くなる分が丁度、用紙束の重量分による付勢力に等しくなったところで静止することになる。
【００１５】
このように、給紙台に用紙束を積載し給紙開始前の作用点の位置（Ａ点とする）と給紙が完了して給紙台上に用紙がないときの作用点の位置（Ｂ点とする）が定まるから、作用点がＡ点にあるときは給紙台が所定の角度だけ傾斜するように、給紙台の下流側軸支辺の位置をＡ点より低い位置（Ｃ点とする）に設定し、作用点がＢ点にあるときは傾斜がなくなるように、給紙台の下流側軸支辺の位置をＢ点と同じ高さになる位置（Ｄ点とする）に設定し、上下駆動機構により、給紙台の下流側軸支辺を、用紙束満載のときのＣ点から、給紙の進行につれて上昇させ、用紙が丁度なくなったときＤ点に達するように上昇制御することにより、給紙台は、給紙開始前の用紙束満載時は下流側に向けて最も下降傾斜しており、給紙が進行して給紙台が上昇するにつれ傾斜は緩やかになって行き、給紙が完了する時点で丁度傾斜がなくなるという動作をすることになる。
このように、本発明の給紙台の傾斜の変化は、２つのばねと用紙束の重量変化を利用するという非常に簡単な構成と原理によっている。
【００１６】
かくして、一方辺側に折り目や綴じ目があったり或いは重ね部分があったりするなどして多数積み重ねて束状にした場合に、一方辺側が他方辺側より高くなってしまうような用紙束であっても、給紙の下流側が低くなるように傾斜している本発明の給紙台へ、積み重ね高さの高い方を給紙台の下流側になるようにして載置することにより、給紙中は、最上部の用紙は殆ど傾斜せず、円滑な給紙が行われるという利点がある。
【００１７】
第２の構成のものは、傾斜可変給紙台の下流側に傾斜していない非傾斜給紙台が続いているので、用紙束の一方辺側と他方辺側の高さの変化が途中からあまり変わらないような用紙束の給紙に適するという利点がある。
【００１８】
第３の構成のものは、引っ張りばねの位置調整手段を用いているので、用紙の種類により用紙束の重量が異なるものであっても、引っ張りばねの引っ張り方向位置を調整することにより、前記Ａ点及びＢ点の位置を適切に設定することができるという利点がある。
【００１９】
第４の構成のものは、傾斜可変給紙台が傾斜回動しないようにするロック機構を有しているので、積み重ねた場合に上面が傾斜しない用紙束の場合にも使用できるという利点がある。
【発明を実施するための最良の形態】
【００２０】
本発明の実施において、定荷重ばねや引っ張りばねの引っ張り力を傾斜可変給紙台へ加える構造としては給紙台の側面にワイヤ係止ピンを設け、各ばねからはワイヤを伸ばしてピンに掛ける構成が最良である。
ワイヤをプーリに掛け渡すことにより、各ばねの位置や向きに制約を受けことがなくコンパクトな構造設計が可能となるからである。
【００２１】
また、定荷重ばねからのワイヤと引っ張りばねからのワイヤは、同一のワイヤ係止ピンに掛けなければならないということはないが、同一ピンとするのが単純で構成も簡単になる。
ロック機構は傾斜可変給紙台の上流側辺即ち後端辺に設けるのが、各ばねから受ける力が最も小さく操作し易いので最良である。
以下、本発明給紙装置の実施例を図面を参照して説明する。
【実施例１】
【００２２】
図１は、本発明給紙装置の実施例１の構成を示す図である。
（ａ）は傾斜可変給紙台が下方にあって傾斜が最も大きく、積み上げた場合に前方と後方の厚（高さ）に差のある二つ折り用紙の用紙束が載置された給紙開始前の状態を示す図であり、（ｂ）は給紙が完了した状態を示す図である。
上下駆動機構４は、基台１１、それから下方へ伸びている駆動桿１５、駆動桿１５に固着しているラック１４、ラック１４に噛み合うピニヨン１３、ピニヨン１３を回転駆動するモータ１２から構成されている。
モータ１２の回転は制御器５によって制御され、給紙が開始されると用紙束１７の用紙の減少に応じて基台１１を上昇させるように回転する。
傾斜可変給紙台１は、この基台１１に傾斜回動軸１０によって回動可能に軸支されている。
【００２３】
また、傾斜可変給紙台１の後端辺２３に近い位置の側面にワイヤ係止ピン８が設けられておりこのワイヤ係止ピン８に、定荷重ばね２からのワイヤ７がプーリ６を経由して掛けられるとともに、引っ張りばね３からのワイヤ９も掛けられている。
従って、ワイヤ係止ピン８の位置は両方のばねからの引っ張り力が作用する作用点となっている。
【００２４】
そこで、この作用点には、引き上げる方向の力として定荷重ばね２の引っ張り力が加わっており、引き下げる方向の力として引っ張りばね３の引っ張り力と、傾斜可変給紙台１および用紙束１７の重量の梃子原理による按分重量がかかった状態で平衡を保ち静止した状態にある。
この作用点の位置が発明の効果で述べたＡ点である。そして、傾斜回動軸１０の位置を、傾斜可変給紙台１が所望の傾斜になるよう低い位置Ｃ点に定め、このＣ点から、給紙の開始とともに基台１１が上昇するように設定される。
給紙が開始されると、給紙による用紙の減少に応じて上下駆動機構４の基台１１は上昇して行く。
【００２５】
一方、作用点の位置は用紙の減少により用紙束の重量が減少して行くので、下へ引き下げる力が弱くなるから上昇して行く。その上昇により引っ張りばね３が伸びることにより引っ張り力が強くなって、用紙重量の減少分を補ってバランスを保つことになる。
【００２６】
こうして、給紙が進行して、給紙台上の用紙がなくなったときの作用点の位置がＢ点であり、一方傾斜回動軸１０（発明の効果に言う、給紙台の下流側軸支辺）がＢ点と同じ高さになるように、上下駆動機構４による制御を設定しておくことにより、（ｂ）のようになる。
【００２７】
なお、引っ張りばね３の下端は引っ張りばね固定点１９で装置筐体等に固定されるが、この固定点は固定点調整手段２２により上下方向にその位置を変えることができるようになっている。これにより引っ張り力を調整できることになる。
また、傾斜可変給紙台１は基台１１に重ねてロックできるようになっている。
【００２８】
図３は、基台１１に傾斜可変給紙台１を重ねた状態で後方から見たロック機構を示す図である。
基台１１には後端央部に長穴２１が設けられており、この長穴２１から円柱２０が後方（図３では紙面手前側）へ突出しており、長穴２１に沿って左右に手で動かせるようになっている。
【００２９】
一方、傾斜可変給紙台１の後端辺側には横Ｔ字型の溝が切ってあり、円柱２０が右側にあるときには基台１１に重ねることも離れることも自由であるが、重ねた状態で円柱２０を左へ移動させると基台１１から離れることができずロックされた状態になる。
これは、積み重ねても一辺側と他辺側とで積み上り高さに差のない用紙束の給紙を行うときには給紙台を傾斜させないようにするためである。
【実施例２】
【００３０】
図２は、本発明給紙装置の実施例２の構成を示す図である。
図１との相違点は、傾斜可変給紙台１の傾斜回動軸１０と前方板１６との間に非傾斜給紙台１８を設け、その分基台１１が前方へ延びているという点だけである。
給紙台の給紙方向下流側の端部が傾斜していると、用紙によっては最下位の用紙が傾斜により前進して先端が折れたりすることがある。実施例２の構成によれば、非傾斜給紙台１８を有しているので、用紙束の先端部が安定する。
【図面の簡単な説明】
【００３１】
【図１】本発明給紙装置の実施例１の構成を示す図である。
【図２】本発明給紙装置の実施例２の構成を示す図である。
【図３】図１、図２の実施例で用いた傾斜可変給紙台のロック機構説明図である。
【符号の説明】
【００３２】
１  傾斜可変給紙台
２  定荷重ばね
３  引っ張りばね
４  上下駆動機構
５  制御器
６  プリー
７  ワイヤ
８  ワイヤ係止ピン
９  ワイヤ
１０  傾斜回動軸
１１  基台
１２  モータ
１３  ピニヨン
１４  ラック
１５  駆動桿
１６  前方板
１７  用紙束
１８  非傾斜給紙台
１９  引っ張りばね固定点
２０  円柱
２１  長穴
２２  固定点調整手段
２３  後端辺
【図１】
2006335550.tif 000003
【図２】
2006335550.tif 000004
【図３】
2006335550.tif 000005